(57)【特許請求の範囲】
【請求項１】
利用者の生体情報を示す少なくとも１つの生体データを取得する生体データ取得部と、
生体認証の登録に対応するカードからのデータの読出及び前記カードへのデータの書込を行うカード処理部と、
ユーザインターフェース部と、
前記利用者による前記ユーザインターフェース部の操作に従って前記利用者との取引を制御する制御部と、を有し、
前記生体データ取得部は、複数回の取引の各取引において１つの生体データを取得することで複数の生体データを取得し、
前記カード処理部は、１回の取引において前記生体データ取得部によって取得された１つの生体データを当該取引中に前記カードに書き込むように構成されていることを特徴とする自動取引装置。
【請求項２】
前記生体データ取得部は、前記利用者の複数の生体部位の生体情報を示す複数の生体データを取得することを特徴とする請求項１に記載の自動取引装置。
【請求項３】
前記生体データ取得部によって取得された生体データが前記生体認証の登録に必要な生体データであるか否かを判定するデータ判定部を有することを特徴とする請求項１又は２のいずれか１つに記載の自動取引装置。
【請求項４】
利用者の生体情報を示す少なくとも１つの生体データを取得する生体データ取得部と、
生体認証用の認証データが登録されたカードからのデータの読出及び前記カードへのデータの書込を行うカード処理部と、
ユーザインターフェース部と、
前記利用者による前記ユーザインターフェース部の操作に従って前記利用者との取引を制御する制御部と、を有し、
前記カードに登録された前記認証データは、前記生体データ取得部によって取得された前記少なくとも１つの生体データに基づいて、変更されるか又は新たな認証データとして生成されて前記カード処理部によって前記カードに書き込まれるように構成され、
前記生体データ取得部は、複数回の取引の各取引において１つの生体データを取得することで複数の生体データを取得し、
前記カード処理部は、１回の取引において取得された１つの生体データを当該取引中に前記カードに書き込むように構成されていることを特徴とする自動取引装置。
【請求項５】
前記認証データは、前記利用者の複数の生体部位の生体情報を示す生体データを含み、
前記生体データ取得部は、前記複数の生体部位のうちの少なくとも１つの生体部位に係る生体データを取得するように構成されていることを特徴とする請求項４に記載の自動取引装置。
【請求項６】
前記認証データは、前記利用者の複数の生体部位の生体情報を示す生体データを含み、
前記生体データ取得部は、前記認証データ内に含まれる前記複数の生体部位とは異なる他の生体部位の生体情報を示す生体データを取得し、
前記カード処理部は、前記複数の生体部位のうちの少なくとも１つの生体部位に係る生体データを前記他の生体部位に係る生体データに置換するか、又は前記複数の生体部位のうちの少なくとも１つの生体部位に係る生体データが前記他の生体部位に係る生体データに置換された新たな認証データを前記カードに書き込むように構成されていることを特徴とする請求項４に記載の自動取引装置。
【請求項７】
前記認証データを外部に送信する通信部を有することを特徴とする請求項４乃至６のいずれか１つに記載の自動取引装置。
【発明の詳細な説明】
【技術分野】
【０００１】
本発明は、自動取引装置に関する。
【背景技術】
【０００２】
近年においては、顧客が金融機関の窓口に出向くことなく入出金や振込処理を行うことが可能な自動取引システムが広く普及している。自動取引システムは、例えば、顧客が操作する端末である自動取引装置と、顧客に関する情報が格納されたホストコンピュータを含む。例えば、特許文献１には、利用者から取得した生体情報とＩＣカード読取部により読み取った生体情報との生体認証を実行する生体情報認証機構部を有する自動取引装置が開示されている。
【先行技術文献】
【特許文献】
【０００３】
【特許文献１】特開2007-293920号公報
【発明の概要】
【発明が解決しようとする課題】
【０００４】
近年では、セキュリティの向上などのため、例えば指紋認証などの生体認証による本人確認を行う機能に対応した自動取引装置が一般化されつつある。例えば、生体認証は、キャッシュカードに登録された生体情報と、自動取引装置によって読み取られた生体情報との間の一致度に基づいて行われる。そして、例えば、当該一致度が所定値未満の場合に取引処理を中止することで、口座の名義人でない他人による現金の引き出しなどを防止することができる。
【０００５】
その一方で、生体認証を行うには予め生体情報を登録しておく必要がある。また、生体情報（例えば指紋）は経時的に変化する可能性があるため、登録時の生体情報と取引時の生体情報が互いに異なる場合がある。従って、例えば口座の名義人であっても生体認証に失敗する場合がある。従って、現状では、例えば、複数の生体部位（例えば指）に対して複数個の生体データを予め登録しておくことが要求されている。
【０００６】
このように、生体認証は、その高いセキュリティ性にも関わらず、実用性の点で課題を有している。生体認証が顧客に広く普及するためには、生体情報の登録時や生体認証時などにおいて高い利便性が求められる。
【０００７】
本発明は上記した点に鑑みてなされたものであり、スムーズな生体情報の登録及び更新を行うことが可能であり、生体認証の利用に適した自動取引装置及び自動取引システムを提供することを目的としている。
【課題を解決するための手段】
【０００８】
本発明による自動取引装置は、利用者の生体情報を示す少なくとも１つの生体データを取得する生体データ取得部と、生体認証の登録に対応するカードからのデータの読出及びカードへのデータの書込を行うカード処理部と、ユーザインターフェース部と、利用者によるユーザインターフェース部の操作に従って利用者との取引を制御する制御部と、を有し、カード処理部は、生体データ取得部によって取得された少なくとも１つの生体データをカードに書き込むように構成されていることを特徴としている。
【０００９】
また、本発明による自動取引装置は、利用者の生体情報を示す少なくとも１つの生体データを取得する生体データ取得部と、生体認証の登録に対応するカードからのデータの読出及びカードへのデータの書込を行うカード処理部と、ユーザインターフェース部と、利用者によるユーザインターフェース部の操作に従って利用者との取引を制御する制御部と、生体データ取得部によって取得された少なくとも１つの生体データを外部に送信する通信部と、を有することを特徴としている。
【００１０】
また、本発明による自動取引装置は、利用者との取引を行う自動取引装置であって、利用者の生体情報を示す少なくとも１つの生体データを取得する生体データ取得部と、生体認証の登録に対応するカードからのデータの読出及びカードへのデータの書込を行うカード処理部と、ユーザインターフェース部と、を有し、カード処理部は、生体データ取得部によって取得された少なくとも１つの生体データをカードに書き込むように構成されていることを特徴としている。
【００１１】
また、本発明による自動取引装置は、利用者の生体情報を示す少なくとも１つの生体データを取得する生体データ取得部と、生体認証用の認証データが登録されたカードからのデータの読出及びカードへのデータの書込を行うカード処理部と、ユーザインターフェース部と、利用者によるユーザインターフェース部の操作に従って利用者との取引を制御する制御部と、を有し、カードに登録された認証データは、生体データ取得部によって取得された少なくとも１つの生体データに基づいて、変更されるか又は新たな認証データとして生成されてカード処理部によってカードに書き込まれるように構成されていることを特徴としている。
【００１２】
また、本発明による自動取引装置は、利用者の生体情報を示す少なくとも１つの生体データを取得する生体データ取得部と、生体認証用の認証データが登録されたカードからのデータの読出及びカードへのデータの書込を行うカード処理部と、ユーザインターフェース部と、利用者によるユーザインターフェース部の操作に従って利用者との取引を制御する制御部と、を有し、カード処理部は、カードとは異なる他カードを受け付け、カードに登録されている認証データを他カードに書き込むように構成されていることを特徴としている。
【００１３】
また、本発明による自動取引装置は、利用者の生体情報を示す少なくとも１つの生体データを取得する生体データ取得部と、生体認証用の認証データが登録されたカードからのデータの読出及びカードへのデータの書込を行うカード処理部と、ユーザインターフェース部と、利用者によるユーザインターフェース部の操作に従って利用者との取引を制御する制御部と、外部との間でデータを送受信する通信部と、を有し、カード処理部は、カードとは異なる他カードを受け付け、通信部は、カードに登録されている認証データを外部に送信することを特徴としている。
【図面の簡単な説明】
【００１４】
【図１】実施例１に係る自動取引システムの構成を示すブロック図である。
【図２】実施例１に係る自動取引装置における生体情報の登録処理及び認証処理を含む取引処理のフローを示す図である。
【図３】実施例１に係る自動取引装置における生体情報の取得及び登録処理の詳細なフローを示す図である。
【図４】（ａ）は、実施例１に係る自動取引装置における生体情報の取得を誘導するためのディスプレイ（ユーザインターフェース部）の画面表示例を示す図であり、（ｂ）は、当該画面表示例における表示パターン例を示す図である。
【図５】実施例１に係る自動取引装置における取得された生体情報の判定フロー及びこれによるディスプレイの表示パターンの切替フローを示す図である。
【図６】実施例１に係る自動取引装置における生体認証用のデータ登録のためのディスプレイの画面表示例を示す図である。
【図７】実施例２に係る自動取引システムの構成を示すブロック図である。
【図８】実施例２に係る自動取引装置における認証データの更新処理（変更処理及び移動処理）を含む取引処理のフローを示す図である。
【図９】実施例２に係る自動取引装置における生体情報の取得及び更新処理の詳細なフローを示す図である。
【図１０】実施例２に係る自動取引装置における生体情報の他カードへの移動処理の詳細なフローを示す図である。
【図１１】（ａ）及び（ｂ）は、実施例２に係る自動取引装置における生体情報の取得を誘導するためのディスプレイの画面表示例を示す図である。
【図１２】実施例２に係る自動取引装置における生体認証用のデータ更新のためのディスプレイの画面表示例を示す図である。
【発明を実施するための形態】
【００１５】
本発明は、自動取引装置に生体認証用のデータ登録（認証時の基準となるテンプレートの作成及びカードへの書込）機能又はその更新機能を付加することを特徴としている。以下、本発明の実施例について詳細に説明する。
【実施例１】
【００１６】
図１は、実施例１に係る自動取引システム１０の構成を示すブロック図である。自動取引システム１０は、顧客に関する情報が格納されたホストコンピュータ２０と、ホストコンピュータ２０との通信によって顧客との取引を行う自動取引装置（端末）３０とからなる。ホストコンピュータ２０及び自動取引装置３０は、例えばインターネットなどのネットワークを介して互いに接続されている。ホストコンピュータ２０には顧客情報がデータベース２１として格納されており、自動取引装置３０はこのデータベース２１にアクセスして顧客（装置を操作する利用者）との取引を行う。自動取引装置３０は、例えばＡＴＭ（Automated/Automatic Teller Machine）である。
【００１７】
自動取引装置３０は、カード処理部３１、ユーザインターフェース部３２、生体データ取得部３３、カード判定部３４、データ判定部３５、蓄積データ生成部３６、認証データ生成部３７及び通信部３８を有する。また、自動取引装置３０は、現金処理部４０、明細票処理部４１及びジャーナル処理部４２を有する。また、自動取引装置３０は、これらの制御を行う制御部３９を有する。
【００１８】
カード処理部３１は、利用者が挿入したカードの受付処理、カード内の情報の取扱処理及びカードの排出処理を行う。カード処理部３１は、受け付けたカードの磁気ストライプに記録されたデータの読出を行う。また、本実施例においては、カード処理部３１は、カードにＩＣチップが搭載されたＩＣカードの読み込みに対応しており、ＩＣチップ内のデータの読み出し及びＩＣチップへのデータの書込を行う。また、カード処理部３１は、生体認証に対応するカード、例えば生体認証用のアプリケーションが搭載されたＩＣカードの読み込みを行う。従って、カード処理部３１は、生体認証の登録に対応するカードからのデータの読出及び当該カードへのデータの書込を行う機能を有する。
【００１９】
ユーザインターフェース部（以下、ＵＩ部と称する）３２は、利用者からの操作の受付、利用者への操作入力案内、取引内容の出力などを行う。ＵＩ部３２は、例えばタッチパネル式のディスプレイ、ハンドセット、ＰＩＮＰＡＤ等のボタン及びスピーカを含む。制御部３９は、ＵＩ部３２の情報の入出力動作を制御する。自動取引装置３０は、利用者によるＵＩ部３２の操作に従って利用者との取引を行う。また、制御部３９は、利用者によるＵＩ部３２の操作に従って利用者との取引の制御を行う。
【００２０】
また、本実施例においては、ＵＩ部３２は、利用者の生体情報を検知する生体センサ３２Ａを有し、利用者の生体情報を示す生体データを生成する。例えば、生体センサ３２Ａは、生体情報として、指紋や掌紋、静脈などを検知するセンサを有する。自動取引装置３０は、生体センサ３２Ａによって読取られた生体データに基づいて生体認証用のデータ生成動作や生体認証動作を行う。制御部３９は、生体センサ３２Ａの検知動作を制御する。
【００２１】
生体データ取得部３３は、利用者の生体情報を示す少なくとも１つの生体データを取得する。生体データ取得部３３は、例えばＵＩ部３２の生体センサ３２Ａが検知した生体情報を示す生体データを取得する。なお、本実施例においては自動取引装置３０がＵＩ部３２として生体センサ３２Ａを有する場合について説明したが、ＵＩ部３２は生体センサ３２Ａを有していなくてもよい。この場合、生体データ取得部３３は、外部の生体センサから利用者の生体情報を示す生体データを取得すればよい。
【００２２】
本実施例においては、生体データ取得部３３は、複数回の取引毎に１つの生体情報を示す生体データを取得する。具体的には、生体データ取得部３３は、例えば、１回目の取引時に１つの生体部位（例えば右手人差し指）に係る生体データを１回取得し、２回目の取引時には当該生体部位に係る生体データを１回取得する。また、生体データ取得部３３は、例えば、１回目の取引時に１つの生体部位（例えば右手人差し指）に係る生体データを１回取得し、２回目の取引時には他の生体部位（例えば右手中指）に係る生体データを１回取得してもよい。
【００２３】
カード判定部３４は、カード処理部３１によって受け付けた処理中のカードの種別及びカード内の情報を判定する。例えば、カード判定部３４は、カードの磁気ストライプ内の情報、ＩＣチップ内の情報に基づいて、自動取引装置３０に挿入されたカードの種別を判定する。例えば、カード判定部３４は、自動取引装置３０に挿入されたカードが生体認証に対応するカードであるか否か、また、カードに生体認証用のデータが記録されているか否かを判定する。
【００２４】
データ判定部３５は、生体データ取得部３３が取得した生体データの判定を行う。例えば、データ判定部３５は、生体認証時において、カードに登録されている生体データと生体データ取得部３３が取得した生体データとを比較して、登録された生体部位の生体データが取得されたか否かを判定する。また、本実施例においては、データ判定部３５は、生体データ取得部３３が取得した生体データが生体情報の登録対象となる生体部位（例えば特定の指）の生体データであるか否かを判定する。
【００２５】
蓄積データ生成部３６は、例えば各取引時に生体データ取得部３３によって取得された少なくとも１つの生体データを蓄積するための生体データ（以下、蓄積データと称する）を生成する。具体的には、まず、制御部３９は、ＵＩ部３２に対し、利用者との取引を行う際に生体情報の提供を誘導する制御をなす。これによって、例えば、毎回の取引の際にＵＩ部３２のディスプレイに生体情報（例えば指や掌）の提供を誘導するような表示がされる。そして、蓄積データ生成部３６は、生体データ取得部３３が取得した生体データを蓄積した蓄積データを生成する。
【００２６】
認証データ生成部３７は、生体データ取得部３３が取得した少なくとも１つの生体データを含む生体認証用の生体データ（以下、認証データと称する）を生成する。具体的には、認証データ生成部３７は、例えば、生体データが所定数蓄積された場合、生体認証用のテンプレートデータの生成を行う。なお、生体データが所定数蓄積されていない場合、又は利用者によって認証データの登録が希望されない場合は、蓄積データ生成部３６が当該情報を含む蓄積データを生成する。なお、生体情報の登録に必要な数の生体データが取得されたか否かは、カード判定部３４又はデータ判定部３５によって行われる。
【００２７】
本実施例においては、カード処理部３１は、利用者との取引の際に、生体データ取得部３３によって取得された生体データをカードに書き込む。従って、生体データ取得部３３によって取得された生体データは、例えば取引が行われる度にカードに蓄積データとして蓄積されていく。また、認証データが生成された際には、当該認証データがカードに書き込まれ、これによって生体認証用の生体情報がカードに登録される。なお、本実施例においては、制御部３９は、利用者との取引の際に、通常の取引処理の制御に加え、カード処理部３１のこれらの動作を制御する。
【００２８】
通信部３８は、外部との間でデータを送受信する。本実施例においては、通信部３８は、制御部３９の指示に基づいてホストコンピュータ２０との通信を行い、顧客情報の受信や変更された顧客情報の送信などを行う。また、本実施例においては、通信部３８は、生体データ取得部３３が取得した生体データ、蓄積データ生成部３６が生成した蓄積データ及び認証データ生成部３７が生成した認証データを、ホストコンピュータ２０に送信する。
【００２９】
現金処理部４０は、取引時に現金（紙幣又は硬貨）の入出金処理を行う。明細票処理部４１は、利用者との取引内容を明細票に印字し、明細票を出力する。また、ジャーナル処理部４２は、自動取引装置３０における各顧客との取引履歴などをジャーナルに記録する。
【００３０】
図２は、自動取引装置３０における生体データの取得、認証データの生成及び生体認証動作の概略的なフロー図である。自動取引装置３０は、例えば、利用者がＵＩ部３２を操作し、カードがカード処理部３１に取り込まれることで当該利用者との取引を開始する（ステップＳ１０）。まず、カード処理部３１によってカード内のデータが読み出され、カード判定部３４によって、挿入されたカードが生体認証に対応するカードであるか否かが判定される（ステップＳ１１）。
【００３１】
次に、挿入されたカードが生体認証に対応するカードであると判定された場合、カード判定部３４は、カード内に生体認証用の認証データが登録されているか否かを判定する（ステップＳ１２）。カード内に認証データが登録されていると判定された場合、制御部３９はＵＩ部３２（生体センサ３２Ａなど）を動作させて生体認証を実行する（ステップＳ１３）。生体認証の実行後は、制御部３９によって、利用者との取引（例えば入出金など）が行われる（ステップＳ１４）。
【００３２】
一方、カード内に認証データが登録されていないと判定された場合、制御部３９は、ＵＩ部３２及び生体データ取得部３３を動作させ、利用者から生体データを取得する。また、制御部３９はカード処理部３１を制御し、生体データ取得部３３によって取得された生体データは、カード処理部３１によってカードに書き込まれる。また、例えばデータ判定部３５によって登録に必要な生体部位又は数量の生体データが取得されたと判定された場合は、認証データ生成部３７は取得された生体情報を含む認証データを生成し、カード処理部３１は当該認証データをカードに書き込む（ステップＳ１５）。
【００３３】
カード処理部３１によるデータの書込後（ステップＳ１５後）は、ステップＳ１４に進み、制御部３９は、各処理部などを制御し、利用者との通常の取引を行う。また、ステップＳ１１において挿入されたカードが生体認証に対応するカードではないと判定された場合も、制御部３９は、利用者との通常の取引を行う。また、本実施例においては、通常の取引処理が完了した後（ステップＳ１４後）は、カード処理部３１はカードを排出して利用者との取引を終了する（ステップＳ１６）。
【００３４】
図３は、自動取引装置３０における生体データの取得及び生体データの書込処理（ステップＳ１５）のより詳細なフローを示す図である。ステップＳ１５は図３に示すようなサブルーチンとして構成されていてもよい。まず、カード判定部３４は、カードに認証データが登録されていないと判定した場合（ステップＳ１２がＮＯの場合）、生体情報の登録（認証データの生成）に必要な生体データが取得されているか否かを判定する（ステップＳ２１）。
【００３５】
例えば、カード判定部３４は、カード内に蓄積データが記録されていない場合、又は記録されている蓄積データに必要な数及び部位の生体データが含まれていない場合、登録に必要な数の生体データが取得されていないと判定する。例えば、生体情報の登録に、２つの生体部位（例えば２本の指）に対するそれぞれ３つの生体データ（合計６個の生体データ）を必要とするように設定した場合を考える。例えばカード内に１つの生体部位の生体データのみが記録されている場合、カード判定部３４は、生体データが不足すると判定する。
【００３６】
一方、前回の取引時に必要な生体データが取得された場合において利用者が登録を希望しなかった場合など、必要数の生体データが既に取得されている場合がある。この場合、カード判定部３４は、登録に必要な数の生体データが取得されていると判定する。
【００３７】
次に、登録に必要な数の生体データが取得されていると判定された場合、制御部３９はＵＩ部３２を制御し、ＵＩ部３２は生体情報の登録を選択させる出力を行う（ステップＳ２２）。例えば、ＵＩ部３２のディスプレイに生体情報の登録選択画面を表示し、制御部３９は利用者に生体情報の登録を促す。
【００３８】
次に、制御部３９は、ＵＩ部３２からの操作によって、利用者が生体情報の登録を選択したか否かを判定する（ステップＳ２３）。利用者が生体情報の登録を選択したと判定された場合、認証データ生成部３７は認証データを生成し、制御部３９によって認証データが登録される（ステップＳ２４）。例えば、カード処理部３１はカードに認証データを書き込む。認証データの登録後は、ステップＳ１６に進んで通常の取引を行う。
【００３９】
次に、認証データの生成に必要な生体データが取得されていないと判定された場合、制御部３９は、ＵＩ部３２を制御し、利用者に生体情報の提供を誘導することを促す（ステップＳ２５）。例えば、制御部３２は、ディスプレイに生体情報の提供を誘導する画面を表示する制御をなす。
【００４０】
次に、生体データ取得部３３は利用者から生体データを取得し、データ判定部３５は取得された生体データが登録に必要な生体データか否かの判定を行う（ステップＳ２６）。例えば、データ判定部３５は、生体センサ３２Ａが読み取ったデータが一定以上のデータを有するか否かの判定を行う。また、データ判定部３５は、既に生体データが蓄積されている場合には蓄積されたデータとの比較を行い、同一の生体部位に係る生体データであるか否かを判定する。ステップＳ２６の詳細フローについては図５を用いて後述する。
【００４１】
続いて、制御部３９は、生体データの取得及び判定後において、登録に必要な生体データが取得されたか否かを判定する（ステップＳ２７）。登録に必要な数のデータが取得されたと判定された場合、制御部３９はＵＩ部３２を制御し、生体情報の登録を選択させることを利用者に促す（ステップＳ２２に進む）。
【００４２】
一方、生体データが取得された後において登録に必要な生体データが取得されていない（例えば生体データが不足する）と判定された場合、蓄積データ生成部３６は、取得済みの生体データを含む蓄積用の生体データ（蓄積データ）を生成する（ステップＳ２８）。続いて、制御部３６は、蓄積した生体データを記録する（ステップＳ２９）。例えば、制御部３９はカード処理部３１を制御し、カード処理部３１は、蓄積した生体データをカードに書き込む。蓄積データの記録後は、ステップＳ１６に進んで通常の取引を行う。なお、ステップＳ２３において利用者が生体情報の登録を選択しなかったと判定された場合、蓄積データ生成部３６は取得済み生体データを含む蓄積データを生成する（ステップＳ２８に進む）。
【００４３】
なお、生体データは、カード処理部３１によってカードに書き込まれる場合に限定されない。例えば、蓄積データ及び認証データは、通信部３８が外部（例えばホストコンピュータ２０）に送信してもよい。また、認証データはカードに書き込まれることに加えて外部に送信されてもよい。すなわち、取得された生体データがいずれかの場所に記録されればよい。
【００４４】
図４（ａ）は、ステップＳ２５におけるＵＩ部３２の出力例を示す図である。本実施例においては、ＵＩ部３２のディスプレイに生体情報の提供を促す画面が表示される場合について説明する。図４（ｂ）は、蓄積データ内（例えばカード内）の取得済み生体データの個数に基づいたディスプレイの表示パターンの例を示す図である。
【００４５】
図４（ａ）に示すように、まず、ＵＩ部３２には生体情報を提供することを誘導する画面が表示される。そして、取得済みの生体データの数量などに基づいてその一部（部分３２Ｂ）の表示パターンが切り替わる。例えば、図４（ｂ）に示すように、例えば１回目の取引時など、生体データが１つも取得されていない場合と、生体データが１つ以上取得されている場合とでは、ＵＩ部３２の表示パターンが異なる。
【００４６】
また、本実施例においては、生体データ取得部３３は、複数回の取引の各取引において１つの生体データを取得することで登録に必要な少なくとも１つの生体データを取得する。従って、図４（ｂ）の４回目の取引時など、複数の生体部位の生体データを取得することを要する場合において１の生体部位の生体データが必要数取得された場合は、他の生体部位の情報を提供するように表示される。
【００４７】
図４（ａ）及び（ｂ）に示すように、ステップＳ２５においては、制御部３９は、ＵＩ部３２を制御し、取得された生体データに基づいてＵＩ部３２の表示パターンを切り替える。従って、効率的に必要な生体データを取得することができる。
【００４８】
図５は、複数の生体部位に係る生体データをそれぞれ複数回取得する場合における生体データの取得及び判定処理（ステップＳ２６）のより詳細なフロー図である。ステップＳ２６は図５に示すようなサブルーチンとして構成されていいてもよい。以下においては、生体情報の登録に２本の指（例えば右手人差し指及び右手中指）の生体データを取得することを要する場合について説明する。まず、生体データ取得部３３は利用者の生体情報を示す生体データを取得する（ステップＳ３１）。
【００４９】
次に、データ判定部３５は、取得された生体データが、今回取得されることが期待される第１の取得対象部位（例えば右手人差し指）の生体データであるか否かを判定する（ステップＳ３２）。データ判定部３５は、例えば、初回取得時において利用者の選択又は制御部３９による誘導に従って取得された生体データに基づいて当該判定を行う。例えば、データ判定部３５は、既に１つ以上の右手人差し指の生体データが取得されている場合は、取得済みの生体データと今回取得された生体データとの比較を行い、右手人差し指の生体データであるか否かを判定する。
【００５０】
具体的には、データ判定部３５は、例えば以前に取得されて記録されている右手人差し指の生体データと、今回取得された生体データとの一致度が所定値以上であれば、右手人差し指（第１の取得対象部位）の生体データであると判定し、当該一致度が所定値未満であれば第１の取得対象部位のデータではないと判定する。
【００５１】
第１の取得対象部位の生体データであると判定された場合、データ判定部３５は、当該生体データを第１の登録対象部位の生体データと判定して蓄積データ生成部３６に供給する（ステップＳ３３）。次に、取得された生体データが第１の登録対象部位の生体データであると判定された場合、制御部３９は、次の取引時に出力するＵＩ部３２の出力パターンを変更する（ステップＳ３４）。例えば、図４（ｂ）に示すような画面の表示パターンにおいては、１回目の表示パターンから２回目の表示パターンに切り替わる。
【００５２】
一方、取得対象部位の生体データではないと判定された場合、データ判定部３５は、他の取得対象部位の生体データであるか否かを判定する（ステップＳ３５）。例えば、以前右手人差し指の生体データのみが取得されており、右手人差し指の生体データが必要数集まっていない場合において、今回右手中指の生体データが取得された場合、データ判定部３５は、取得された右手中指の生体データを他の第２の取得対象部位の生体データであると判定する。
【００５３】
第２の取得対象部位の生体データとして書き込み可能であると判定された場合、データ判定部３５は、当該生体データを第２の登録対象部位の生体データであると判定して蓄積データ生成部３６に供給する（ステップＳ３６）。ここで、取得が期待される取得対象部位とは異なる生体部位の生体データが取得された場合、制御部３９は、次の取引時に出力するＵＩ部３２の出力パターンを変更しない（ステップＳ３７）。すなわち、制御部３９は、ＵＩ部３２に対し、次回の取引時に再度第１の取得対象部位の生体情報の提供用の画面が出力されるように設定する。
【００５４】
なお、本実施例においては、他の取得対象部位の生体データでもないと判定された場合、（本実施例においては３本目の指、例えば親指の生体データが取得された場合）、データ判定部３５は、当該生体データを登録対象部位のデータではないと判定し、当該データを破棄する（ステップＳ３８）。データの破棄後は、ステップＳ３７に進み、制御部３９は、ＵＩ部３２に対し、次回の取引時において再度第１の取得対象部位の生体データの提供用の画面が出力されるように設定する。
【００５５】
図６は、登録に必要な生体データが取得され、生体情報の登録を利用者に誘導する際（ステップＳ２２）におけるＵＩ部３２の出力例を示す図である。図６に示すように、例えば十分な数量の生体データが蓄積された場合、制御部３９はＵＩ部３２を制御し、利用者に生体情報の登録（生体認証の開始）を促す。ここで利用者が生体情報の登録を選択した場合、認証データがカードなどに書き込まれ、例えば次回の取引から生体認証による取引が開始される。
【００５６】
上記したように、まず、本実施例においては、自動取引装置３０が生体認証による取引のためのテンプレートデータ（基準となるマスターデータ）の登録機能を有している。従って、例えば金融機関の窓口に出向くことなく、自動取引装置３０の操作によって生体情報の登録を行うことができる。従って、生体認証の登録時における利便性が向上する。
【００５７】
また、上記したように、生体データ取得部３３は、複数回の取引の各取引において１つの生体データを取得することで登録に必要な少なくとも１つの生体データを取得する。また、カード処理部３１は、１回の取引において取得された１つの生体データを当該取引中にカードに書き込むように構成されている。また、生体データ取得部３３は、利用者の複数の生体部位の生体情報を示す生体データを取得する。
【００５８】
従って、複数の生体情報（例えば複数の生体部位）を示す生体データを登録することを必要とする場合、各取引時にデータを取得し、生体データをカードなどに蓄積保存していく。すなわち、一連の生体データの取得を中断することができ、１回の取引で必要な個数のデータを全て取得する必要がない。
【００５９】
従って、生体情報の登録のために自動取引装置３０を利用者が長時間使用することが抑制される。また、利用者にかかる生体認証のデータ登録の手間（負担）が分散される。従って、スムーズな生体情報の登録及び生体認証の開始を行うことができる。
【００６０】
さらに、各取引時（データ取得時）における生体情報の提供画面の表示パターンを切り替えることで、複数の異なる生体部位のデータが必要な場合でも効率的に必要なデータを取得することができる。
【００６１】
なお、蓄積データ生成部３６やカード処理部３１による生体データの蓄積及び蓄積データの記録時においては、生体データをタイムスタンプと共に記録してもよい。そして、必要な生体データが取得されたか否かの判定をその取得時刻を考慮して行うことで、より正確な認証データを生成及び登録することができる。例えば、必要な数のデータが取得されたが、その一部が所定以上古いものであった場合、データの蓄積記録時に当該古いデータを破棄することで、認証時における誤認証を抑制することができる。
【００６２】
なお、上記した構成要素は一例に過ぎない。例えば、本実施例においては、自動取引装置３０が蓄積データ生成部３６及び認証データ生成部３７を有する場合について説明したが、自動取引装置３０が蓄積データ生成部３６及び認証データ生成部３７を有する場合に限定されない。例えば、蓄積データ及び認証データはカード処理部３１によって生成されてもよい。また、自動取引装置３０がカード判定部３４を有する場合について説明したが、自動取引装置３０はカード判定部３４を有する場合に限定されない。例えばカードの種別はカード処理部３１が判定してもよい。また、生体データ取得部３３は、１回の取引で１個の生体データを取得するだけでなく、１回の取引で必要数のデータのうちの複数の生体データを取得するように構成されていてもよい。
【００６３】
上記したように、本実施例においては、自動取引装置３０は、利用者の生体情報を示す少なくとも１つの生体データを取得する生体データ取得部３３と、生体認証の登録に対応するカードからのデータの読出及び当該カードへのデータの書込を行うカード処理部３１と、ユーザインターフェース部３２と、利用者によるユーザインターフェース部３２の操作に従って利用者との取引を制御する制御部３９と、を有し、カード処理部３１は、利用者との取引の際に、生体データ取得部３３によって取得された当該少なくとも１つの生体データをカードに書き込むように構成されている。従って、スムーズな生体情報の登録を行うことが可能であり、生体認証の利用に適した自動取引装置３０を提供することができる。
【実施例２】
【００６４】
図７は、実施例２に係る自動取引システム１０Ａの構成を示すブロック図である。自動取引システム１０Ａは、自動取引装置５０の構成を除いては自動取引システム１０と同様の構成を有する。自動取引装置５０は、カード処理部５１、ＵＩ部５２、生体データ取得部５３、カード判定部５４、データ判定部５５、蓄積データ生成部５６、認証データ生成部５７、更新データ生成部５８、通信部５９及び制御部６０を有する。各構成要素は、その動作を除いては、自動取引装置３０と同様の構成を有する。
【００６５】
まず、自動取引装置５０は、生体情報の登録処理を行うことに加え、生体情報の更新処理を行うように構成されている。これは、例えば生体情報が古くなった場合、またカードの有効期限によってカードの更新を行う場合に対応する構成である。
【００６６】
制御部６０は、カード処理部５１に対し、生体情報の更新処理を行う制御をなす。まず、カード処理部５１は、生体認証用の認証データが登録されたカードからのデータの読出及び当該カードへのデータの書込を行う。また、カード処理部５１は、生体データ取得部５３が取得した生体データに基づいて、カードに登録された認証データを変更するように構成されている。また、カード処理部５１は、カードに登録された認証データを他のカードに移動するように構成されている。
【００６７】
より具体的には、自動取引装置５０は、認証データ及び当該認証データ内に含まれる生体データを更新した更新データを生成する更新データ生成部５８を有する。本実施例においては、更新データ生成部５８は、認証データ内の生体データを変更した新たな認証データである変更データと、認証データの他カードへの移動用データである移動データを生成する。また、制御部６０は、更新データ生成部５８の制御を行うように構成されている。また、通信部５９は、更新データ（変更データ及び移動データ）を外部（例えばホストコンピュータ２０）に送信する。
【００６８】
図８は、自動取引装置５０における取引処理のフローを概略的に示す図である。自動取引装置５０は、生体認証の実行ステップ後（ステップＳ１３後）の処理を除いては、自動取引装置３０と同様のフローに沿って処理を行う。自動取引装置５０は、カードに既に認証データが登録されている場合に、生体認証を実行した後、利用者の複数の生体情報を取得し、生体データの蓄積記録を行う（ステップＳ４１）。また、更新に必要な生体データが取得された場合には、生体情報の更新処理を行う。
【００６９】
具体的には、生体データ取得部５３は、生体認証後又は生体認証中に、利用者の生体情報を示す生体データを取得する。また、カード処理部５１は、取得された少なくとも１つの生体データをカードに書き込む。また、更新データ生成部５８は、必要な生体データが取得された際には、取得済みの少なくとも１つの生体データを含んだ更新データを生成する。そして、カード処理部５１は、更新データが生成された場合、更新データをカードに書き込んでカードに登録された生体情報の更新を行う。
【００７０】
図９は、自動取引装置５０における生体情報の取得及び更新処理（ステップＳ４１）の詳細なフローを示す図である。ステップＳ４１は図９に示すようなサブルーチンとして構成されていいてもよい。まず、ステップＳ１３において生体認証を行った後、カード判定部３４は、生体データの取得に際し、生体情報の更新に必要な生体データが取得されているか否かを判定する（ステップＳ５１）。
【００７１】
次に、制御部６０は、ＵＩ部５２を制御して生体情報の更新を利用者に促す（ステップＳ５２）。制御部６０は、例えばＵＩ部５２のディスプレイに生体情報の更新を選択する画面を表示する。次に、制御部６０は、ＵＩ部５２によって利用者が生体情報の更新を選択したか否かを判定する（ステップＳ５３）。
【００７２】
利用者によって生体情報の更新が選択されたと判定された場合、制御部６０は、更新データ生成部５８及びカード処理部５１を制御してカードに登録された生体情報の更新を行う（ステップＳ５４）。具体的には、更新データ生成部５８は、登録されている認証データを更新した更新データを生成する。またカード処理部５１は、当該更新データをカードに登録する。また、カード処理部５１は、利用者の選択に応じ、当該更新データを認証データが登録されていない他カードに登録（移動）する。生体情報の更新後はステップＳ１４に進んで利用者との通常の取引を続行する。
【００７３】
なお、更新データ生成部５８は、利用者の操作によって生体情報の変更が選択された場合、カードに登録されている認証データに、取得された生体データに基づいた変更を加えた変更データを生成する。一方、利用者によって生体情報の移動が選択された場合、及び／又は、有効期限により現カードから新カードへの切り替えが生ずるなどの場合、更新データ生成部５８は、カードに登録されている認証データを他のカードに移動するための移動データを生成する。
【００７４】
一方、カード内に必要な生体データが蓄積されていないと判定された場合、ＵＩ部５２には、ＵＩ部３２と同様に生体情報の提供を誘導する画面が表示される（ステップＳ５５）。次に、生体データ取得部５３は、生体データを取得する。また、データ判定部５５は、取得された生体データを判定する（ステップＳ５６）。具体的には、データ判定部５５は、カードに登録されている生体データと取得された生体データとを比較し、更新対象となる生体データであるか否かを判定する。
【００７５】
次に、生体データが取得された後において生体データが必要な分だけ取得されたか否かを判定する（ステップＳ５７）。例えば、データ判定部５５は、登録された生体データと蓄積記録された生体データとを比較し、変更及び移動をすることが可能な蓄積データか否かを判定する。必要な生体データが取得されたと判定された場合、ステップＳ５２に進み、制御部６０は利用者に生体情報の更新を促す。また、更新に必要な生体データが取得されていないと判定された場合、蓄積データ生成部５６は、取得済み生体データを含む蓄積データを生成する（ステップＳ５８）。
【００７６】
また、当該更新用の蓄積データは制御部６０によって記録される（ステップＳ５９）。例えば、蓄積データは、カード処理部５１によってカードに書き込まれるか、及び／又は、通信部５９によって外部（ホストコンピュータ２０）に送信される。すなわち、本実施例においては、例えば、カードには、登録済みの認証データと蓄積された蓄積データとが記録される。蓄積データの記録後は通常の取引ステップＳ１４に進む。
【００７７】
なお、制御部６０は、ステップＳ５３において生体情報の更新が選択されなかったと判定された場合、蓄積データ生成部５６は、当該取得済みの生体データを含む蓄積データを生成する（ステップＳ５８に進む）。
【００７８】
なお、更新データ（変更データ及び移動データ）の生成時においては、認証データに記録されている全ての生体データが変更される必要はない。例えば、制御部６０は、複数の生体部位の生体データが登録されている場合、少なくとも一部の生体データが取得されれば認証データの更新を行うように構成されていてもよい。例えば、データ判定部５５は、２本の指にそれぞれ３個の生体データが登録されている場合、１本の指に対して３個の生体データが蓄積された時点で更新に必要な生体データが蓄積されたと判定してもよい。
【００７９】
例えば、本実施例においては、生体データ取得部５３は、認証データに登録されている複数の生体部位の生体情報を示す生体データのうちの少なくとも１つの生体部位に係る生体データを取得する。また、カード処理部５１は、当該少なくとも１つの生体部位に係る生体データが変更された変更データをカードに書き込むように構成されていてもよい。例えば右手人差し指及び右手中指の２つの生体部位に係る生体データが登録されている場合、右手人差し指の生体データが所定数取得されたと判定された時点で、登録されている右手人差し指の生体データのみを更新した変更データを生成、更新登録を行うように構成されている。
【００８０】
また、複数の生体部位の生体情報を示す生体データが登録されている場合において、登録されている生体部位とは異なる生体部位の生体データが取得された場合には、登録されている生体部位のうちの１つの生体部位に係る生体データを取得された生体データに置換して更新登録を行ってもよい。すなわち、登録されていない他の生体部位の生体データを更新対象部位の生体データであると判定してもよい。例えば、生体データ取得部５３は、認証データ内に含まれる複数の生体部位とは異なる他の生体部位の生体情報を示す生体データを取得する。そして、カード処理部５１は、当該複数の部位のうちのすくなくとも１つの生体部位に係る生体データが当該他の生体部位に係る生体データに置換された変更データをカードに書き込むように構成されていてもよい。
【００８１】
換言すれば、認証データの更新に際し、カード処理部５１は、カードに登録されている複数の生体部位のうちの少なくとも１つの生体部位に係る生体データを他の生体部位に係る生体データに置換するか、又は当該複数の生体部位のうちの少なくとも１つの生体部位に係る生体データが他の生体部位に係る生体データに置換された新たな認証データを当該カードに書き込むように構成されていてもよい。
【００８２】
これら更新対象部位となる生体データであるか否かの判定、更新データの生成及び更新データの登録は、例えば、利用者の選択に応じ、また、取得された又は登録された生体データの取得時刻などに基づいて行われてもよい。例えば、更新対象の生体データが所定数取得された時点で、利用者に更新する生体部位を選択させるように構成されていてもよい。また、更新対象の生体データが所定数取得された時点で、登録済みの生体データのうちの取得時刻が古いデータに係る生体部位のデータを置換してもよい。
【００８３】
また、更新データ生成部５８は、更新データ（例えば変更データ又は移動データ）の生成処理（ステップＳ５４）に際し、登録済みの認証データ内の生体データと生体データ取得部５３によって取得された生体データとの一致度に基づいて更新データを生成する。例えば、データ判定部５５は、登録済みの認証データ内の生体データと取引中に取得された生体データとの一致度が所定以上である場合、更新対象の生体データであると判定し、更新データ生成部５８は取得された生体データを用いて更新データ（例えば移動データ）を生成する。一方、両者の一致度が所定値未満である場合、カード判定部５５は、更新対象の生体データではないと判定し、データを破棄することができる。
【００８４】
図１０は、自動取引装置５０における認証データの更新処理（ステップＳ５４）の詳細なフローを示す図である。ステップＳ５３及びＳ５４は図１０に示すようなサブルーチンとして構成されていいてもよい。まず、ステップＳ５２においては、制御部６０は、ＵＩ部５２に対し、生体情報の変更又は移動を誘導するような出力を行うような制御を行う。
【００８５】
次に、ステップＳ５３においては、制御部６０は、利用者が現カード（既に認証データが登録されているカード）の生体情報の変更が選択されたか否かを判定する（ステップＳ６１）。利用者によって現カードでの生体情報の更新が選択されたと判定された場合、制御部６０は更新データ生成部５８及びカード処理部５１を制御し、更新データを生成して更新データを現カードに登録する（ステップＳ６２）。本実施例においては、既に現カードに登録されている認証データは、生体データ取得部５３によって取得された少なくとも１つの生体データに基づいて、変更されるか又は新たな認証データとして生成され、カード処理部５１によって現カードに書き込まれる。
【００８６】
一方、現カードでの生体情報の変更が選択されなかったと判定された場合、制御部６０は他カードへの生体情報の移動が選択されたか否かを判定する（ステップＳ６３）。生体情報の移動が選択されたと判定された場合、制御部６０は現カードの登録された認証データ及び蓄積された蓄積データを取得する（ステップＳ６４）。次に、制御部６０はＵＩ部５２を制御し、ＵＩ部５２は他カードの挿入を利用者に促す出力を行う（ステップＳ６５）。例えばＵＩ部５２のディスプレイには新しいカードの挿入を促す画面が表示される。
【００８７】
次に、制御部６０はカード処理部５１及び更新データ生成部５８を制御し、更新データ生成部５８は取得されたデータに基づいて移動データを生成し、カード処理部５１は当該移動データを他カードに書き込む（ステップＳ６６）。具体的には、カード処理部５１は、生体認証に対応する他カードを受け付け、当該他カードに移動データを書き込む。このようにして認証データの移動が行われる。
【００８８】
なお、認証データの移動を行う場合、カード処理部５１は、認証データを変更することなく他カードに書き込むように構成されていてもよい。すなわち、移動データが移動元の認証データと同一の生体データからなっていてもよい。例えば、データの移動時に所定数の生体データが取得されていない場合、カード処理部５１は、制御部６０の制御によって、認証データと、取得された生体データとの両方を他カードに書き込むように構成されていてもよい。
【００８９】
換言すれば、生体情報の移動においては、カード処理部５１は、現カードとは異なる他カードを受け付け、現カードに登録されている認証データと同一のデータを他カードに書き込むように構成されている。また、本実施例においては、カード処理部５１は、当該認証データに加え、生体データ取得部５３によって取得された少なくとも１つの生体データを他カードに書き込むように構成されている。また、現カードの認証データは、生体データ取得部５３によって取得された少なくとも１つの生体データに基づいて、変更されるか又は新たな認証データとして生成されてカード処理部５１によって他カードに書き込まれるように構成されていてもよい。
【００９０】
また、現カードの認証データは、利用者の複数の生体部位の生体情報を示す生体データを含む場合、生体データ取得部５３は、当該認証データ内に含まれる複数の生体部位と同じ生体部位の生体情報を示す生体データを少なくとも１つ取得してもよい。そして、認証データは、生体データ取得部５３によって取得された少なくとも１つの生体データに基づいて、変更されるか又は新たな認証データとして生成され、カード処理部５１は、当該変更された認証データ又は新たな認証データを生体認証用の認証データとして他カードに書き込むように構成されていてもよい。なお、本実施例においては、これらの変更された認証データ及び新たな認証データ（更新データ）は、更新データ生成部５８によって生成される。
【００９１】
図１１（ａ）及び（ｂ）は、ステップＳ５５におけるＵＩ部５２の出力例を示す図である。図１１（ａ）及び（ｂ）は、生体認証ステップＳ１３と同時に生体情報の取得が行われる場合のＵＩ部５２の出力例を示す図である。図１１（ａ）及び（ｂ）に示すように、ＵＩ部５２のディスプレイには、生体認証時に更新データ用の生体情報の取得が行われることが表示される。また、その際には、センサに検知させる生体部位を指定する（例えば「前回と違う指をお願いします」などと表示する）ことで、効率的に変更データ及び移動データ用の生体データを取得することができる。
【００９２】
図１２は、ステップＳ５２におけるＵＩ部５２の出力例を示す図である。図１２に示すように、例えば必要な数量の生体データが蓄積された場合、制御部６０はＵＩ部５２を制御し、利用者に生体情報の更新を促す。ここで利用者が生体情報の更新を選択した場合、認証データが更新され、例えば次回の取引から更新された認証データに基づいた生体認証による取引が開始される。
【００９３】
上記したように、本実施例においては、自動取引装置５０は、登録済みの生体情報（認証データ）の変更や他カードへの移動処理を行うように構成されている。また、変更用及び移動用の認証データの生成に必要な生体データは、各取引時に自動取引装置５０によって取得されてもよいし、既に登録済の認証データが移動用の認証データとして使用されてもよい。従って、例えば金融機関の窓口に出向くことなく、認証データの更新を行うことができる。従って、スムーズな認証データの更新を行うことが可能な自動取引装置５０を提供することができる。
【００９４】
また、認証データの変更に複数の生体データを必要とする場合でも、認証データの登録処理と同様に、例えば取引毎に１つずつ生体データを取得し、これを蓄積することで必要な数のデータを取得する。従って、認証データの更新に際しても利用者への負担が分散され、生体認証が利用しやすくなる。また、既に生体認証を開始している場合には、取引毎に生体情報を取得することで、最新の認証データを容易に生成することができる。従って、最新の生体情報（例えば利用者の指の状態）に基づいた生体認証を行うことができる。従って、例えば古い生体データに基づく認証データを用いる場合に比べて誤認証を抑制することができる。
【００９５】
また、本実施例においても、データの蓄積時にタイムスタンプを加えておくことができる。これによって、認証用のデータとして適した生体データに基づいて変更データ及び移動データを生成し、誤認証を抑制することが可能な自動取引装置５０を提供することができる。
【００９６】
なお、本実施例においては、自動取引装置５０が更新データ生成部５８を有する場合について説明したが、自動取引装置４０は更新データ生成部５８を有する場合に限定されない。変更データ及び移動データは制御部６０又はカード処理部５１によって生成されてもよい。また、生体データ、蓄積データ、変更データ及び移動データ等の一部又は全部のデータは、カードに書き込まれるだけでなく、通信部６０によって外部に送信されてもよい。
【００９７】
また、生体データ、蓄積データ、変更データ及び移動データ等の一部又は全部のデータは、カードに書き込まれず、通信部６０によってホスト等の外部に送信されてもよい。例えば、カードの更新処理を行う際においては、現カード内の認証データは、他カードに書き込まれることなくホストコンピュータ２０に送信（記録）されてもよい。この場合、例えば、カード処理部５１は他カードを受け付け、通信部５９は現カードに登録されている認証データを外部に送信すればよい。また、例えば、更新データ生成部５８は、当該送信用のデータとして、現カード内の認証データに他カードへの関連付け情報を付加した更新データを生成してもよい。
【００９８】
このように処理することで、少なくとも認証データのカードとの紐付け（関連付け）を行うことができる。従って、例えば次回以降の新カードでの取引時においてスムーズに新カードに生体データを書き込み、スムーズに生体認証を開始することができる。
【００９９】
また、自動取引装置５０は、生体情報の変更機能と移動機能との両方を有するが、これらの機能は分離されていてもよい。例えば、自動取引装置５０は現カードでの生体情報の変更機能のみを有していてもよく、また、生体情報の他カードへの移動機能のみを有していてもよい。また、自動取引装置３０及び５０における生体データの取得、登録及び更新処理の制御は自動取引装置３０又は５０内の制御部３９及び６０によって行われる場合について説明した。しかし、これらの制御は自動取引装置３０又は５０の外部、例えばホストコンピュータ２０内の制御部（図示せず）によって行われてもよく、また、Host-driven形式のようにホストコンピュータ２０からの指示を自動取引装置３０又は５０が受けて、その指示に従って制御部３９又は６０が登録及び更新処理等の制御を行ってもよい。
【０１００】
上記したように、自動取引装置３０及び５０のような自動取引装置を用いることで、スムーズな生体情報の登録及び更新を行うことが可能であり、生体認証の利用に際し利用者の負担を低減することができる。
【符号の説明】
【０１０１】
１０、１０Ａ  自動取引システム
３０、５０  自動取引装置
３１、５１  カード処理部
３２、５２  ユーザインターフェース部
３３、５３  生体データ取得部
３９、６０  制御部
【図１】
0006724592.tif 000002
【図２】
0006724592.tif 000003
【図３】
0006724592.tif 000004
【図４】
0006724592.tif 000005
【図５】
0006724592.tif 000006
【図６】
0006724592.tif 000007
【図７】
0006724592.tif 000008
【図８】
0006724592.tif 000009
【図９】
0006724592.tif 000010
【図１０】
0006724592.tif 000011
【図１１】
0006724592.tif 000012
【図１２】
0006724592.tif 000013